(57)【特許請求の範囲】
【請求項１】
第１のユーザ機器と第２のユーザ機器とを含む複数のユーザ機器をマルチキャストとして、基地局から当該複数のユーザ機器に信号を階層変調して送信し、前記基地局が前記信号の送信を、レベルが異なる複数の信号であって、第１のレベルの信号と第２のレベルの信号とを含む前記複数の信号に分割された信号を送信することによって実行する通信方法であって、
前記基地局は、第１のタイムスロット中に、前記第１のレベルの信号と第２のレベルの信号とを前記複数のユーザ機器に送信し、
前記第１のユーザ機器は、前記第１のレベルの信号と第２のレベルの信号とを受信し、
前記第２のユーザ機器は、前記第１のレベルの信号を受信するが前記第２のレベルの信号を受信できない場合に、第１のフィードバック信号を送信し、
前記基地局は、前記第１のフィードバック信号に基づいて、第２のタイムスロット中に、調整した階層変調レベルで前記第２のレベルの信号を変調して送信し、前記第１のユーザ機器は当該第２のレベルの信号を前記基地局から受信して前記第２のユーザ機器に受信した前記第２のレベルの信号を送信し、
前記第２のユーザ機器が、前記第１のレベルの信号と第２のレベルの信号とを受信できない場合には第２のフィードバック信号を送信し、そして、
前記基地局は、前記第２のフィードバック信号に基づいて、第２のタイムスロット中に、信号を送信する際のリソース量を増加して、当該増加されたリソース量に基づいて少なくとも前記第２のレベルの信号を前記第１のユーザ機器に送信し、当該第１のユーザ機器は前記第２のユーザ機器に受信した当該第２のレベルの信号を送信する、
前記方法。
【請求項２】
前記第２のユーザ機器のチャネルのＳＩＮＲ値は、所定の値より低い請求項１に記載の方法。
【請求項３】
前記複数の信号に分割されることは、スケーラブルビデオ符号化法に基づく請求項１に記載の方法。
【請求項４】
前記第１のレベルの信号は、ＱＰＳＫ変調法に基づいて変調され、さらに前記第２のレベルの信号は、１６ＱＡＭ変調法に基づいて変調される請求項１に記載の方法。
【請求項５】
前記ユーザ機器が前記第１のレベルの信号と第２のレベルの信号とを受信することによって高精細度の情報を得ることを可能にする請求項１に記載の方法。
【請求項６】
前記第１のユーザ機器が前記基地局のネットワークセルの境界内に位置して、前記第１のレベルの信号と第２のレベルの信号とを受信し、
前記第２のユーザ機器が、前記ネットワークセルの境界外に位置して、前記第１のフィードバック信号を送信し、当該ネットワークセルの境界からさらに遠くなると、前記第２のフィードバック信号を送信する
請求項１記載の方法。
【請求項７】
第１のユーザ機器と第２のユーザ機器とを含む複数のユーザ機器をマルチキャストとして、当該複数のユーザ機器に信号を階層変調して送信し、前記信号の送信を、レベルが異なる複数の信号であって、第１のレベルの信号と第２のレベルの信号とを含む前記複数の信号に分割された信号を送信することによって実行する基地局であって、
第１のタイムスロット中に、前記第１のレベルの信号と第２のレベルの信号とを前記複数のユーザ機器に送信して、前記第１のユーザ機器に、前記第１のレベルの信号と第２のレベルの信号とを受信させる第１の手段と、
前記第２のユーザ機器が前記第１のレベルの信号を受信するが前記第２のレベルの信号を受信できない場合に、当該第２のユーザ機器から第１のフィードバック信号を受信する第２の手段と、
前記第１のフィードバック信号に基づいて、第２のタイムスロット中に、調整した階層変調レベルで前記第２のレベルの信号を変調して前記第１のユーザ機器に送信し、当該第１のユーザ機器に当該変調された第２のレベルの信号を前記第２のユーザ機器に送信させる第３の手段と、
前記第２のユーザ機器が前記第１のレベルの信号と第２のレベルの信号とを受信できない場合、当該第２のユーザ機器から第２のフィードバック信号を受信する第４の手段と、そして、
前記第２のフィードバック信号に基づいて、第２のタイムスロット中に、信号を送信する際のリソース量を増加して、当該増加されたリソース量に基づいて少なくとも前記第２のレベルの信号を前記第１のユーザ機器に送信し、当該第１のユーザ機器に受信した当該第２のレベルの信号を前記第２のユーザ機器に送信させる第５の手段と、
を備える基地局。
【請求項８】
前記複数の信号に分割されることは、スケーラブルビデオ符号化法に基づく請求項７に記載の基地局。
【請求項９】
前記第１のレベルの信号は、ＱＰＳＫ変調法に基づいて変調され、さらに前記第２のレベルの信号は、１６ＱＡＭ変調法に基づいて変調される請求項７に記載の基地局。
【請求項１０】
前記ユーザ機器に前記第１のレベルの信号と第２のレベルの信号とを受信させることによって高精細度の情報を得ることを可能にさせる請求項７に記載の基地局。
【請求項１１】
前記第１の手段は、前記基地局のネットワークセルの境界内に位置する前記第１のユーザ機器に、前記第１のレベルの信号と第２のレベルの信号とを受信させ、
前記第２の手段は、前記ネットワークセルの境界外に位置する前記第２のユーザ機器から、前記第１のフィードバック信号を受信し、
前記第４の手段は、前記ネットワークセルの境界からさらに遠くなる前記第２のユーザ機器から前記第２のフィードバック信号を受信する
請求項７に記載の基地局。
【請求項１２】
コンピュータに、第１のユーザ機器と第２のユーザ機器とを含む複数のユーザ機器をマルチキャストとして、基地局から当該複数のユーザ機器に信号を階層変調して送信させ、前記基地局が前記信号の送信を、レベルが異なる複数の信号であって、第１のレベルの信号と第２のレベルの信号とを含む前記複数の信号に分割された信号を送信することによって実行させるプログラムであって、
コンピュータを、
第１のタイムスロット中に、前記第１のレベルの信号と第２のレベルの信号とを前記複数のユーザ機器に送信して、前記第１のユーザ機器に、前記第１のレベルの信号と第２のレベルの信号とを受信させる第１の手段と、
前記第２のユーザ機器が前記第１のレベルの信号を受信するが前記第２のレベルの信号を受信できない場合に、当該第２のユーザ機器から第１のフィードバック信号を受信する第２の手段と、
前記第１のフィードバック信号に基づいて、第２のタイムスロット中に、調整した階層変調レベルで前記第２のレベルの信号を変調して前記第１のユーザ機器に送信し、当該第１のユーザ機器に当該変調された第２のレベルの信号を前記第２のユーザ機器に送信させる第３の手段と、
前記第２のユーザ機器が前記第１のレベルの信号と第２のレベルの信号とを受信できない場合、当該第２のユーザ機器から第２のフィードバック信号を受信する第４の手段と、そして、
前記第２のフィードバック信号に基づいて、第２のタイムスロット中に、信号を送信する際のリソース量を増加して、当該増加されたリソース量に基づいて少なくとも前記第２のレベルの信号を前記第１のユーザ機器に送信し、当該第１のユーザ機器に受信した当該第２のレベルの信号を前記第２のユーザ機器に送信させる第５の手段と、
として機能させるためのプログラム。
【請求項１３】
前記複数の信号に分割されることは、スケーラブルビデオ符号化法に基づく請求項１２に記載のプログラム。
【請求項１４】
前記第１のレベルの信号は、ＱＰＳＫ変調法に基づいて変調され、さらに前記第２のレベルの信号は、１６ＱＡＭ変調法に基づいて変調される請求項１２に記載のプログラム。
【請求項１５】
前記ユーザ機器に前記第１のレベルの信号と第２のレベルの信号とを受信させることによって高精細度の情報を得ることが出来るように機能させるための請求項１２に記載のプログラム。
【請求項１６】
前記第１の手段は、前記基地局のネットワークセルの境界内に位置する前記第１のユーザ機器に、前記第１のレベルの信号と第２のレベルの信号とを受信させ、
前記第２の手段は、前記ネットワークセルの境界外に位置する前記第２のユーザ機器から、前記第１のフィードバック信号を受信し、
前記第４の手段は、前記ネットワークセルの境界からさらに遠くなる前記第２のユーザ機器から前記第２のフィードバック信号を受信する
ように機能させるための請求項１２に記載のプログラム。
【請求項１７】
請求項１２乃至１６の何れか一項記載のプログラムが格納されたコンピュータ可読記憶媒体。
【発明の詳細な説明】
【背景技術】
【０００１】
メディアストリーミング、テレビ会議、およびビデオオンデマンドなどのためのマルチメディアサービスの発展とともに、マルチキャストサービスは、ワイヤレスネットワーク上の重要なサービスとなっている。マルチキャストサービスは、１対多のマルチパーティ通信モードである。マルチキャストサービスは、マルチパーティ通信におけるネットワークリソースの消費を低減する。最近、マルチキャストサービスプロバイダは、マルチキャストサービスを確実で多様にするようにマルチキャストユーザおよびネットワークリソースをどのように効率的に管理すべきかにますます注意を払っている。
【発明の概要】
【課題を解決するための手段】
【０００２】
或る実施例において、第１のユーザ機器の制御下で実行される方法が、第１のタイムスロット中に基地局から第１のレベルの信号および第２のレベルの信号を受信すること、ならびに第２のタイムスロット中に第２のユーザ機器に第２のレベルの信号を送信することを含むことが可能である。
【０００３】
或る実施例において、基地局の制御下で実行される方法が、第１のタイムスロット中に複数のユーザ機器に第１のレベルの信号および第２のレベルの信号を送信すること、第１のユーザ機器が第１のタイムスロット中に第２のレベルの信号を受信しなかった場合、第１のユーザ機器から第１のフィードバック信号を受信すること、第２のレベルの信号の階層変調レベルを調整すること、ならびに第２のタイムスロット中に第１のユーザ機器に調整された第２のレベルの信号を送信することを含むことが可能である。
【０００４】
或る実施例において、基地局が、複数のユーザ機器に第１のレベルの信号および第２のレベルの信号を送信するように構成された送信部と、ユーザ機器から第１のフィードバック信号を受信するように構成された受信部と、第１のフィードバック信号に基づいて第２のレベルの信号の階層変調レベルを調整するように構成された調整部とを含むことが可能である。送信部は、ユーザ機器に調整された第２のレベルの信号を送信するようにさらに構成される。
【０００５】
或る実施例において、実行に応答して、第１のユーザ機器に、第１のタイムスロット中に基地局から第１のレベルの信号および第２のレベルの信号を受信すること、ならびに第２のタイムスロット中に第２のユーザ機器に第２のレベルの信号を送信することを含む動作を実行させるコンピュータ実行可能命令を格納しているコンピュータ可読記憶媒体。
【０００６】
或る実施例において、実行に応答して、基地局に、第１のタイムスロット中に複数のユーザ機器に第１のレベルの信号および第２のレベルの信号を送信すること、第１のユーザ機器が第１のタイムスロット中に第２のレベルの信号を受信しなかった場合、第１のユーザ機器から第１のフィードバック信号を受信すること、第２のレベルの信号の階層変調レベルを調整すること、ならびに第２のタイムスロット中に第１のユーザ機器に調整された第２のレベルの信号を送信することを含む動作を実行させるコンピュータ実行可能命令を格納しているコンピュータ可読記憶媒体。
【０００７】
以上の要約は、単に例示的であり、限定することは全く意図していない。前述した例示的な態様、実施形態、および特徴に加えて、さらなる態様、実施形態、および特徴が、図面、および後段の詳細な説明を参照することで明白となろう。
【０００８】
本開示の以上、およびその他の特徴は、添付の図面と併せて解釈される、後段の説明、および添付の特許請求の範囲から完全に明白となろう。これらの図面は、本開示によるいくつかだけの実施形態を示し、したがって、本開示の範囲を限定するものと考えられるべきではないものと理解して、添付の図面の使用を介して、本開示をさらに具体的に、さらに詳細に説明する。
【図面の簡単な説明】
【０００９】
【図１】従来のマルチキャストシステムを示す概略図である。
【図２】階層変調法を説明するのに使用される概略のグラフである。
【図３Ａ】マルチキャストシステムを示す概略図である。
【図３Ｂ】マルチキャストシステムを示す概略図である。
【図４】本開示の実施形態を説明するためのマルチキャストシステムを示す概略図である。
【図５】本開示の実施形態による基地局とユーザ機器の間の信号フローを示す概略図である。
【図６】本開示の別の実施形態を説明するためのマルチキャストシステムを示す概略図である。
【図７】本発明の別の実施形態による基地局とユーザ機器の間の信号フローを示す概略図である。
【図８】本開示の別の実施形態を説明するためのマルチキャストシステムを示す概略図である。
【図９】本開示の別の実施形態による基地局とユーザ機器の間の信号フローを示す概略図である。
【図１０】本開示の実施形態による基地局を示す概略図である。
【図１１】本明細書で説明される少なくともいくつかの実施形態によるマルチキャストサービスを提供するのに利用され得るコンピュータプログラム製品を示す図である。
【図１２】本明細書で説明される少なくともいくつかの実施形態によるマルチキャストサービスを提供するのに利用され得る例示的なコンピューティングデバイスを示すブロック図である。
【発明を実施するための形態】
【００１０】
以下の詳細な説明において、本明細書の一部分を成す、添付の図面を参照する。これらの図面で、文脈がそうでないことを規定しない限り、同様の符号は、通常、同様の構成要素を識別する。詳細な説明、図面、および特許請求の範囲において説明される例示的な実施形態は、限定することは意図していない。本明細書で提示される主題の趣旨または範囲を逸脱することなく、他の実施形態が利用されることが可能であり、他の変更が行われることが可能である。本明細書で一般的に説明され、図に示される本開示の態様は、多種多様な異なる構成で配置されること、置き換えられること、組み合わされること、分離されること、および設計されることが可能であり、それらの構成のすべてが本明細書で明示的に企図されることが容易に理解されよう。
【００１１】
本発明は、全体的に、とりわけ、マルチキャストサービスを提供することと関係する方法、装置、システム、デバイス、およびコンピュータプログラム製品に関する。
【００１２】
簡単に述べると、マルチキャストサービスを提供するための技術が全体的に説明される。いくつかの実施例において、基地局が、第１のタイムスロット中に第１のユーザ機器および第２のユーザ機器に第１のレベルの信号および第２のレベルの信号を送信する。例として、限定としてではなく、第２のユーザ機器が第１のタイムスロット中に第２のレベルの信号を受信しなかった場合、第１のユーザ機器が、第２のタイムスロット中に中継器として第２のユーザ機器に第２のレベルの信号を送信する。
【００１３】
図１は、従来のマルチキャストシステムの概略図である。基地局１００が、タイムスロットＴ中に複数のユーザ機器１１０、１２０、１３０、１４０、および１５０に信号を同時に送信することが可能である。例として、限定としてではなく、この信号は、ビデオストリーム、ビデオ信号、またはオーディオ信号を含み得る。ワイヤレス通信システムの性質のため、ユーザ機器１１０、１２０、１３０、１４０、および１５０が基地局１００から遠くなるにつれ、ユーザ機器１１０、１２０、１３０、１４０、および１５０のチャネル品質は、低下する可能性がある。一般に、単一の基地局の範囲に含まれるネットワークセルの境界付近、その境界の外、または影の区域におけるユーザ機器のチャネル品質は、高くなく、このため、そのようなユーザ機器は、基地局からの信号を十分に受信しない可能性がある。例として、図１を参照すると、ユーザ機器１１０、１２０、および１３０が、基地局１００の付近にある。このため、ユーザ機器１１０、１２０、および１３０のチャネル品質は、高いことが可能である。しかし、ユーザ機器１４０および１５０は、基地局１００のネットワークセルの境界（破線）から外れており、このため、ユーザ機器１４０および１５０のチャネル品質は、低い可能性がある。
【００１４】
いくつかの実施形態において、基地局１００が、階層変調法を使用することによってユーザ機器１１０、１２０、１３０、１４０、および１５０に信号を送信することが可能である。階層変調法において、信号が単一のチャネルを介して送信される場合、そのような信号は、それぞれの変調法によって変調されることが可能である。
【００１５】
図２は、本明細書で説明される少なくともいくつかの実施形態による階層変調法を説明するのに使用される概略のグラフである。図２に示されるとおり、座標の各象限に４つの信号点が存在する。図２で、α値が、Ｙ軸近くの信号点とＹ軸の間の距離を表し、β値が、象限内の信号点の間の距離の１／２を表す。階層変調方法によれば、信号の変調法は、階層変調レベルを調整することによって決定されることが可能である。階層変調レベルは、α／β値を示す。例として、α値がβ値と等しい場合、信号は、１６ＱＡＭ変調法によって変調されることが可能である。α値がβ値より大きい場合、信号は、ＱＰＳＫ変調法によって変調されることが可能である。信号が、階層変調法を使用することによって送信される際、ユーザ機器のチャネル品質が高い場合、ユーザ機器は、１６の信号点を正確に復調して、検出することができ、ユーザ機器のチャネル品質が高くない場合、ユーザ機器は、信号点がいずれの象限内に位置するかを検出することができる。
【００１６】
いくつかの実施形態において、基地局１００が、スケーラブルビデオ符号化法によって、画像を含む信号をユーザ機器１１０、１２０、１３０、１４０、および１５０に送信することが可能である。スケーラブルビデオ符号化法において、信号は、複数のレベルに分割されて送信されることが可能である。ユーザ機器がすべてのレベルの信号を受信した場合、高精細度で高解像度の画像が得られることが可能である。ユーザ機器が一部のレベルの信号を受信した場合、低解像度の画像が得られることが可能である。
【００１７】
前述したとおり、基地局１００が、階層変調法およびスケーラブルビデオ符号化法に基づいて、ユーザ機器１１０、１２０、１３０、１４０、および１５０に信号を送信することが可能である。例として、限定としてではなく、第１のレベルの信号が、ＱＰＳＫ変調法によって変調されることが可能であり、第２のレベルの信号が、１６ＱＡＭ変調法によって変調されることが可能である。
【００１８】
図３Ａおよび図３Ｂは、本明細書で説明される少なくともいくつかの実施形態によるマルチキャストシステムの概略図である。基地局３００が、タイムスロットＴ１中に複数のユーザ機器３１０、３２０、３３０、３４０、および３５０に同時に信号を送信することが可能である。図１および図２を参照して説明したとおり、基地局３００は、階層変調法およびスケーラブルビデオ符号化法に基づいて、ユーザ機器３１０、３２０、３３０、３４０、および３５０に信号を送信することが可能である。例として、基地局３００は、第１のレベルの信号と第２のレベルの信号に分割された信号を送信することが可能である。第１のレベルの信号は、ＱＰＳＫ変調法によって変調されることが可能であり、第２のレベルの信号は、１６ＱＡＭ変調法によって変調されることが可能である。
【００１９】
ユーザ機器３１０、３２０、および３３０は、基地局３００の近くにあるので、ユーザ機器３１０、３２０、および３３０のチャネル品質は、高いことが可能である。つまり、ユーザ機器３１０、３２０、および３３０のチャネルのＳＩＮＲ値は、所定の値より高いことが可能である。このため、ユーザ機器３１０、３２０、および３３０は、タイムスロットＴ１中に第１のレベル信号および第２のレベルの信号を受信することが可能である。したがって、ユーザ機器３１０、３２０、および３３０は、誤りなしに（前段で図２を参照して説明したとおり）１６の信号点を正確に復調して、検出することが可能である。
【００２０】
一方、ユーザ機器３４０および３５０は、基地局３００から遠くにあることが可能である。例として、ユーザ機器３４０および３５０は、基地局３００のネットワークセルの境界（破線）の外にあることが可能である。したがって、ユーザ機器３４０および３５０のチャネル品質は、低い可能性がある。つまり、ユーザ機器３４０、３５０のチャネルのＳＩＮＲ値は、所定の値より低い可能性がある。このため、ユーザ機器３４０、３５０は、タイムスロットＴ１中に第１のレベルの信号だけを受信することが可能である。ユーザ機器３４０および３５０は、第２のレベルの信号を受信しない可能性があるので、ユーザ機器３４０および３５０は、１６の信号点を正確に復調しない可能性があるが、それらの信号点がいずれの象限内に位置するかを検出することができる。
【００２１】
図３Ｂに示されるとおり、ユーザ機器３１０、３２０、および３３０が、タイムスロットＴ２中にユーザ機器３４０および３５０に信号を送信することが可能である。タイムスロットＴ１中に第１のレベルの信号と第２のレベルの信号を共に受信するユーザ機器３１０、３２０、および３３０は、中継器の役割をすることが可能である。ユーザ機器３１０、３２０、および３３０は、タイムスロットＴ２中にユーザ機器３４０および３５０に第２のレベルの信号（ユーザ機器３４０および３５０がタイムスロットＴ１中に受信することができなかった）を送信することが可能である。
【００２２】
ユーザ機器３４０および３５０がタイムスロットＴ１中に第２のレベルの信号を受信しなかった場合、ユーザ機器３４０および３５０は、基地局３００にフィードバック信号を送信することが可能である。いくつかの実施形態において、このフィードバック信号は、＋や−などの１ビットの符号を使用することによって送信され得る。例として、限定としてではなく、プラス（＋）のフィードバック信号が、ユーザ機器３４０および３５０がタイムスロットＴ１中に第２のレベルの信号を受信しなかったことを示し、マイナス（−）のフィードバック信号が、ユーザ機器３４０および３５０がタイムスロットＴ１中に第１のレベルの信号と第２のレベルの信号を共に受信したことを示す。一部の実施形態において、ユーザ機器３４０および３５０がタイムスロットＴ１中に第２のレベルの信号を受信しなかった場合に限って、基地局３００にフィードバック信号が送信されることが可能である。フィードバック信号は、１ビットの符号を使用することによって送信されるものと説明されるものの、フィードバック信号を送信するための方法は、そのような方法に限定されず、さまざまな方法であり得ることが当業者には明白であろう。
【００２３】
基地局３００がユーザ機器３４０および３５０からフィードバック信号を受信した場合、基地局３００は、ユーザ機器３４０および３５０に第２のレベルの信号を中継するようユーザ機器３１０、３２０、および３３０に命令を与えることが可能である。基地局３００は、ワイヤレス通信などの一般的な方法に基づいて、ユーザ機器３１０、３２０、および３３０に命令を与えることが可能である。
【００２４】
タイムスロットＴ１中に第２のレベルの信号を受信しなかったユーザ機器３４０および３５０が基地局３００にフィードバック信号を送信することが可能であると説明したものの、本開示は、このことに限定されない。いくつかの実施形態において、タイムスロットＴ１中に第２のレベルの信号を受信しなかったユーザ機器３４０および３５０が、ユーザ機器３１０、３２０、および３３０に直接にフィードバック信号を送信することが可能であり、このフィードバック信号を受信すると、ユーザ機器３１０、３２０、および３３０は、ユーザ機器３４０および３５０に第２のレベルの信号を中継することが可能である。
【００２５】
ユーザ機器３１０、３２０、および３３０が基地局３００から中継命令を受信した場合、ユーザ機器３１０、３２０、および３３０は、タイムスロットＴ２中にユーザ機器３４０および３５０に第２のレベルの信号を送信することが可能である。基地局３００が、タイムスロットＴ２中にユーザ機器３４０および３５０に直接に第２のレベルの信号を送信することも可能である。このため、ユーザ機器３４０および３５０は、タイムスロットＴ１およびタイムスロットＴ２から成るタイムスロットＴ中に第１のレベルの信号と第２のレベルの信号を共に受信することが可能である。
【００２６】
図４は、本開示の実施形態を説明するためのマルチキャストシステムの概略図であり、図５は、本開示の実施形態による基地局とユーザ機器の間の信号フローの概略図である。以下に、図４を参照して図５の信号フローを説明する。基地局４００が、第１のタイムスロット中に第１のユーザ機器４１０および第２のユーザ機器４２０に第１のレベルの信号および第２のレベルの信号を送信することが可能である（Ｓ５００、図４に実線の矢印で示される）。第１のユーザ機器４１０は、基地局４００の近くにあり、第２のユーザ機器４２０は、基地局４００から遠くにあるものと想定されることが可能である。
【００２７】
基地局４００が、階層変調法およびスケーラブルビデオ符号化法に基づいて第１のレベルの信号および第２のレベルの信号を送信することが可能である。第２のユーザ機器４２０は、基地局４００から遠くにあるので、第２のユーザ機器４２０のチャネルのＳＩＮＲ値は、所定の値より低い可能性がある。このため、第２のユーザ機器４２０は、第１のタイムスロット中に第２のレベルの信号を受信しない可能性がある。この時点で、第２のユーザ機器４２０が、基地局４００にフィードバック信号を送信することが可能である（Ｓ５１０、図４に一点短鎖線の矢印で示される）。
【００２８】
基地局４００がフィードバック信号を受信した場合、基地局４００は、第２のユーザ機器４２０に第２のレベルの信号を中継するよう第１のユーザ機器４１０に命令を与えることが可能である。さらに、基地局４００は、第１のユーザ機器４１０が第２のユーザ機器４２０に第２のレベルの信号を送信するように第１のユーザ機器４１０に第２のレベルの信号を再び送信することが可能である（Ｓ５２０）。
【００２９】
第１のユーザ機器４１０が、第２のタイムスロット中に第２のユーザ機器４２０に第２のレベルの信号を送信することが可能である（Ｓ５３０、図４に二点短鎖線の矢印で示される）。第２のユーザ機器４２０が、第１のタイムスロット中に受信され得ない第２のレベルの信号を第１のユーザ機器４１０から受信するので、第２のユーザ機器４２０は、第１のレベルの信号と第２のレベルの信号を共に受信することが可能である。図４および図５には示されないものの、基地局４００が、第２のタイムスロット中に第２のユーザ機器４２０に第２のレベルの信号を送信することも可能である。
【００３０】
図６は、本開示の別の実施形態を説明するためのマルチキャストシステムの概略図である。基地局６００が、スケーラブルビデオ符号化法および階層変調法に基づいて、複数のユーザ機器６１０、６２０、６３０、６４０、および６５０に信号を送信することが可能である。いくつかの実施形態において、基地局６００が、第１のタイムスロット中にユーザ機器６１０、６２０、６３０、６４０、および６５０に第１のレベルの信号および第２のレベルの信号を送信することが可能である。例として、第１のレベルの信号は、ＱＰＳＫ変調法によって変調されることが可能であり、第２のレベルの信号は、１６ＱＡＭ変調法によって変調されることが可能である。ユーザ機器６１０、６２０、および６３０は、基地局６００のネットワークセル（破線）内に位置しているので、ユーザ機器６１０、６２０、および６３０は、第１のレベルの信号と第２のレベルの信号を共に受信することが可能である。さらに、ユーザ機器６４０および６５０は、基地局６００のネットワークセル（破線）の外にあるので、ユーザ機器６４０および６５０は、第１のレベルの信号だけを受信することが可能である。
【００３１】
いくつかの実施形態において、基地局６００のネットワークセルが狭くなった場合（矢印Ａで示される）、ユーザ機器６４０および６５０が、第１のレベルの信号と第２のレベルの信号を共に受信することができる範囲からより遠くなる可能性がある。さらに、ユーザ機器６４０が基地局６００から離れていく場合（矢印Ｂで示される）、ユーザ機器６４０のチャネル品質がさらに低下する可能性がある。このため、ユーザ機器６４０が、信号点がいずれの象限内に位置するかを検出しない可能性さえある。
【００３２】
ユーザ機器６４０が第２のレベルの信号を受信しなかった（さらに、ユーザ機器６４０のチャネル品質がさらに低下した）場合、ユーザ機器６４０は、基地局６００にフィードバック信号を送信することが可能である。基地局６００がユーザ機器６４０からフィードバック信号を受信した場合、基地局６００は、第２のレベルの信号の階層変調レベルを調整することが可能である。階層変調レベルは、α／β値で示されることが可能である。基地局６００は、ユーザ機器６４０が、信号点がいずれの象限内に位置するかを検出することができるように、階層変調レベルを高めることが可能である。つまり、基地局６００は、ＱＰＳＫ変調法によって第２のレベルの信号を変調するようにβ値を小さくし、α値を大きくすることが可能である。β値が小さくされ、α値が大きくされた場合、同一の象限内の信号点の間の距離は、小さくなり得るが、異なる象限内の信号点の間の距離は、大きくなり得る。したがって、ユーザ機器６４０は、信号点がいずれの象限内に位置するかを検出することができる。
【００３３】
第２のタイムスロット中、基地局６００が、ユーザ機器６１０、６２０、および６３０に調整された第２のレベルの信号を送信することが可能である。ユーザ機器６１０、６２０、および６３０が、基地局６００から受信された調整された第２のレベルの信号を、第２のタイムスロット中、中継器としてユーザ機器６４０および６５０に送信することが可能である。さらに、基地局６００が、第２のタイムスロット中にユーザ機器６４０および６５０に調整された第２のレベルの信号を送信することも可能である。
【００３４】
図７は、本開示の別の実施形態による基地局とユーザ機器の間の信号フローの概略図である。基地局７００が、第１のタイムスロット中に第１のユーザ機器７１０および第２のユーザ機器７２０に第１のレベルの信号および第２のレベルの信号を送信することが可能である（Ｓ７００）。第１のユーザ機器７１０は、基地局７００の近くにあり、第２のユーザ機器７２０は、基地局７００から遠くにあるものと想定されることが可能である。基地局７００が、階層変調法およびスケーラブルビデオ符号化法に基づいて、第１のレベルの信号および第２のレベルの信号を送信することが可能である。
【００３５】
第２のユーザ機器７２０は、基地局７００から遠くにあるので、第２のユーザ機器７２０は、第１のタイムスロット中に第２のレベルの信号を受信することができない。基地局７００のネットワークセルが狭くなった場合、第２のユーザ機器７２０は、基地局７００からより遠くなる可能性がある。例として、第２のユーザ機器７２０が、基地局７００からより遠くなった場合、第２のユーザ機器７２０のチャネル品質は、より低くなる可能性があり、第２のユーザ機器７２０は、信号点がいずれの象限内に位置するかを検出しない可能性さえある。
【００３６】
次に、第２のユーザ機器７２０が、基地局７００にフィードバック信号を送信することが可能である（Ｓ７１０）。基地局７００が、第２のユーザ機器７２０からフィードバック信号を受信した場合、基地局７００は、第２のレベルの信号の階層変調レベルを調整することが可能である（Ｓ７２０）。例として、限定としてではなく、基地局７００は、第２のレベルの信号がＱＰＳＫ変調法によって変調され得るように、β値を小さくし、α値を大きくすることが可能である。
【００３７】
基地局７００が、第１のユーザ機器７１０に調整された第２のレベルの信号を送信することが可能であり、さらに第１のユーザ機器７１０が、基地局７００から受信された調整された第２のレベルの信号を、第２のタイムスロット中に中継器として第２のユーザ機器７２０に送信することが可能である（Ｓ７３０）。さらに、基地局７００が、第２のユーザ機器７２０に調整された第２のレベルの信号を送信することも可能である。第２のユーザ機器７２０は、調整された第２のレベルの信号を受信するので、第２のユーザ機器７２０は、信号点が属する象限を検出することが可能である。
【００３８】
図８は、本開示の別の実施形態を説明するためのマルチキャストシステムの概略図である。基地局８００が、スケーラブルビデオ符号化法および階層変調法に基づいて、ユーザ機器８１０、８２０、８３０、８４０、および８５０に信号を送信することが可能である。例として、基地局８００が、第１のタイムスロット中にユーザ機器８１０、８２０、８３０、８４０、および８５０に第１のレベルの信号および第２のレベルの信号を送信することが可能である。ユーザ機器８１０、８２０、および８３０が、第１のレベルの信号と第２のレベルの信号を共に受信することが可能であるので、ユーザ機器８１０、８２０、および８３０は、ユーザ機器８４０および８５０に信号を中継することが可能である。
【００３９】
いくつかの実施形態において、基地局８００のネットワークセルが狭くなった場合（矢印Ａで示される）、ユーザ機器８２０が、第１のタイムスロット中に第１のレベルの信号と第２のレベルの信号を同時には受信しない可能性がある。さらに、ユーザ機器８４０および８５０が、第１のレベルの信号と第２のレベルの信号が共に受信される境界線からより遠くなる可能性がある。ユーザ機器８２０が第１のレベルの信号と第２のレベルの信号を同時に受信しない場合、ユーザ機器８２０は、ユーザ機器８４０および８５０に信号を中継することができない。したがって、ユーザ機器８４０および８５０に信号を送信するように割り当てられるリソースの量が少なくなる可能性がある。さらに、ユーザ機器８４０が基地局からより遠くなった場合（矢印Ｂで示される）、ユーザ機器８４０のチャネル品質が、さらに低下する可能性がある。このため、ユーザ機器８４０は、第１のレベルの信号も第２のレベルの信号も受信しない可能性がある。
【００４０】
ユーザ機器８４０が第１のレベルの信号および第２のレベルの信号を受信しなかった場合、ユーザ機器８４０は、基地局８００にフィードバック信号を送信することが可能である。基地局８００がユーザ機器８４０からフィードバック信号を受信した場合、基地局８００は、第２のタイムスロットに割り当てられるリソースの量を調整する。ユーザ機器８２０が、第１のレベルの信号と第２のレベルの信号を同時には受信しない場合、ユーザ機器８２０は、第２のタイムスロット中にユーザ機器８４０および８５０に信号を中継することができない。このため、中継器の役割をするユーザ機器の数が少なくなる可能性があり、第２のタイムスロットに割り当てられるリソースの量が増やされる必要がある。
【００４１】
基地局８００が、第２のタイムスロット中に第１のレベルの信号と第２のレベルの信号を共に受信したユーザ機器８１０および８３０に第２のレベルの信号を送信することが可能である。ユーザ機器８１０および８３０が、基地局８００から受信された第２のレベルの信号を、中継器としてユーザ機器８２０、８４０、および８５０に送信することが可能である。さらに、基地局８００が、ユーザ機器８２０、８４０、および８５０に第２のレベルの信号を送信することも可能である。
【００４２】
図９は、本開示の別の実施形態による基地局とユーザ機器の間の信号フローの概略図である。基地局９００が、第１のタイムスロット中に第１のユーザ機器９１０および第２のユーザ機器９２０に第１のレベルの信号および第２のレベルの信号を送信することが可能である（Ｓ９００）。第１のユーザ機器９１０は、基地局９００の近くにあり、第２のユーザ機器９２０は、基地局９００から遠くにあるものと想定され得る。基地局９００が、階層変調法およびスケーラブルビデオ符号化法に基づいて、第１のレベルの信号および第２のレベルの信号を送信することが可能である。
【００４３】
基地局９００のネットワークセルが狭くなると、第２のユーザ機器９２０が、基地局９００からより遠くなる可能性がある。さらに、第２のユーザ機器９２０に信号を中継することができるユーザ機器の数が少なくなる可能性があり、信号送信に割り当てられるリソースの量もまた少なくなる可能性がある。第２のユーザ機器９２０のチャネル品質が、さらに低下する可能性がある。このため、第２のユーザ機器９２０は、第１のレベルの信号および第２のレベルの信号を受信しない可能性がある。第２のユーザ機器９２０が第１のレベルの信号および第２のレベルの信号を受信しなかった場合、第２のユーザ機器９２０は、基地局９００にフィードバック信号を送信することが可能である（Ｓ９１０）。
【００４４】
基地局９００が、第２のユーザ機器９２０からフィードバック信号を受信した場合、基地局９００は、第２のタイムスロットに割り当てられるリソースの量を調整する（Ｓ９２０）。基地局９００から第１のレベルの信号と第２のレベルの信号を共に受信することができる範囲が狭くなった場合、第２のユーザ機器９２０に信号を中継することができるユーザ機器の数が、少なくなる可能性があり、第２のタイムスロットに割り当てられるリソースの量が、増やされる必要がある。
【００４５】
基地局９００が、調整されたリソースを使用することによって第１のユーザ機器９１０に第２のレベルの信号を送信することが可能であり、さらに第１のユーザ機器９１０が、基地局９００から受信された第２のレベルの信号を、中継器として第２のタイムスロット中に第２のユーザ機器９２０に送信することが可能である（Ｓ９３０）。さらに、基地局９００が、調整されたリソースを使用することによって第２のユーザ機器９２０に第２のレベルの信号を送信することも可能である。
【００４６】
信号が２つのレベルに分割されて送信されることが説明されてきたが、信号は、３つ以上のレベルに分割されてもよい。さらに、タイムスロットの数が２つであることが説明されてきたが、この数は、信号のレベルの数に応じて３つ以上であり得る。
【００４７】
図１０は、本開示の実施形態による基地局を示す概略図である。図１０に示されるとおり、基地局１０００が、送信部１０１０と、受信部１０２０と、調整部１０３０とを含み得る。調整部１０３０は、検出部１０３２と、階層変調レベル調整部１０３４と、リソース量調整部１０３６とを含み得る。送信部１０１０が、複数のユーザ機器に第１のレベルの信号および第２のレベルの信号を送信することが可能である。送信部１０１０は、スケーラブルビデオ符号化法および階層変調法に基づいて、第１のレベルの信号および第２のレベルの信号を送信することが可能である。例として、第１のレベルの信号が、ＱＰＳＫ変調法によって変調されることが可能であり、第２のレベルの信号が、１６ＱＡＭ変調法によって変調されることが可能である。
【００４８】
受信部１０２０が、ユーザ機器からフィードバック信号を受信することが可能である。ユーザ機器が、基地局１０００から第２のレベルの信号を受信しなかった場合、ユーザ機器は、受信部１０２０にフィードバック信号を送信することが可能である。さらに、ユーザ機器が、基地局１０００からより遠くなり、信号点がいずれの象限内に位置するかを検出しない場合、ユーザ機器は、受信部１０２０にフィードバック信号を送信することが可能である。ユーザ機器が、基地局１０００からより遠くなり、第１のレベルの信号および第２のレベルの信号を受信しない場合、ユーザ機器は、受信部１０２０にフィードバック信号を送信することが可能である。
【００４９】
調整部１０３０が、フィードバック信号に基づいて、第２のレベルの信号の階層変調レベル、および信号送信に割り当てられるリソースの量を調整することが可能である。検出部１０３２が、ユーザ機器から受信されたフィードバック信号の種類を判定することが可能である。例として、限定としてではなく、検出部１０３２は、ユーザ機器が第２のレベルの信号を受信せず、このため、信号点がいずれの象限内に位置するかを検出できないのか、またはユーザ機器が、第１のレベルの信号および第２のレベルの信号を受信することができないのかを判定することが可能である。
【００５０】
ユーザ機器が、第２のレベルの信号を受信することができず、このため、信号点がいずれの象限内に位置するかを検出できないので、フィードバック信号を送信した場合、階層変調レベル調整部１０３４が、第２のレベルの信号の階層変調レベルを調整することが可能である。送信部１０１０が、階層変調レベル調整部１０３４によって調整された第２のレベルの信号をユーザ機器に送信することが可能である。ユーザ機器は、調整された第２のレベルの信号を受信するので、信号点がいずれの象限内に位置するかを検出することが可能である。
【００５１】
ユーザ機器が、第１のレベルの信号および第２のレベルの信号を受信しなかったのでフィードバック信号を送信した場合、リソース量調整部１０３６が、信号送信に割り当てられるリソース量を調整することが可能である。リソース量調整部１０３６は、送信部１０１０によって送信される信号に割り当てられるリソースの量を調整するので、第１のレベルの信号および第２のレベルの信号を受信することができるユーザ機器の数が増えることが可能である。
【００５２】
本明細書で開示される以上、およびその他のプロセスおよび方法に関して、プロセスおよび方法において実行される機能は、異なる順序で実施されてもよいことが当業者には理解されよう。さらに、概略を述べたステップおよび動作は、例として与えられているに過ぎず、これらのステップおよび動作のいくつかは、開示される実施形態の本質を逸脱することなく、オプションであること、組み合わされて、より少ないステップおよび動作にされること、またはさらなるステップおよび動作に拡大されることが可能である。
【００５３】
図１１は、本明細書で説明される少なくともいくつかの実施形態によるマルチキャストサービスを提供するのに利用され得るコンピュータプログラム製品１１００を示す。プログラム製品１１００は、信号を担持する媒体１１１０を含み得る。信号を担持する媒体１１１０は、たとえば、プロセッサによって実行されると、図１〜図１０に関連して前述した機能をもたらすことが可能な１つまたは複数の命令１１２０を含み得る。例として、命令１１２０は、第１のタイムスロット中に基地局から第１のレベルの信号および第２のレベルの信号を受信するための１つまたは複数の命令と、第２のタイムスロット中に第２のユーザ機器に第２のレベルの信号を送信するための１つまたは複数の命令とを含み得る。このため、たとえば、図４を参照すると、第１のユーザ機器４１０が、命令７０４に応答して、図５に示されるステップのうちの１つまたは複数を実行することが可能である。
【００５４】
さらに、例として、命令１１２０は、第１のタイムスロット中に複数のユーザ機器に第１のレベルの信号および第２のレベルの信号を送信するための１つまたは複数の命令と、第１のユーザ機器が、第１のタイムスロット中に第２のレベルの信号を受信しなかった場合、第１のユーザ機器から第１のフィードバック信号を受信するための１つまたは複数の命令と、第２のレベルの信号の階層変調レベルを調整するための１つまたは複数の命令と、第２のタイムスロット中に第１のユーザ機器に調整された第２のレベルの信号を送信するための１つまたは複数の命令とを含み得る。このため、たとえば、図７を参照すると、基地局７００が、命令７０４に応答して、図７に示されるステップのうちの１つまたは複数を実行することが可能である。
【００５５】
いくつかの実施形態において、信号を担持する媒体１１１０は、ハードディスクドライブ、コンパクトディスク（ＣＤ）、デジタルバーサタイルディスク（ＤＶＤ）、デジタルテープ、メモリなどの、ただし、以上には限定されないコンピュータ可読媒体１１３０を包含することが可能である。いくつかの実施形態において、信号を担持する媒体１１１０は、メモリ、読み取り／書き込み（Ｒ／Ｗ）ＣＤ、Ｒ／Ｗ  ＤＶＤなどの、ただし、以上には限定されない記録可能な媒体１１４０を包含することが可能である。いくつかの実施形態において、信号を担持する媒体１１１０は、デジタル通信媒体および／またはアナログ通信媒体（たとえば、光ファイバケーブル、導波管、有線通信リンク、ワイヤレス通信リンクなど）などの、ただし、以上には限定されない通信媒体１１５０を包含することが可能である。このため、たとえば、プログラム製品１１００が、ＲＦ信号を担持する媒体１１１０によって第１のユーザ機器４１０および基地局７００の１つまたは複数のモジュールに伝送されることが可能であり、信号を担持する媒体１１１０は、ワイヤレス通信媒体１１５０（たとえば、ＩＥＥＥ８０２．１１標準に準拠するワイヤレス通信媒体）によって伝送される。
【００５６】
図１２は、本明細書で説明される少なくともいくつかの実施形態によるマルチキャストサービスを提供するのに利用され得る例示的なコンピューティングデバイス１２００を示すブロック図である。非常に基本的な構成１２０２において、コンピューティングデバイス１２００は、通常、１つまたは複数のプロセッサ１２０４と、システムメモリ１２０６とを含む。メモリバス１２０８が、プロセッサ１２０４とシステムメモリ１２０６の間で通信するために使用され得る。
【００５７】
所望される構成に応じて、プロセッサ１２０４は、マイクロプロセッサ（μＰ）、マイクロコントローラ（μＣ）、デジタルシグナルプロセッサ（ＤＳＰ）、または以上の任意の組み合わせを含むが、以上には限定されない任意のタイプのものであることが可能である。プロセッサ１２０４は、レベル１キャッシュ１２１０およびレベル２キャッシュ１２１２などの１つまたは複数のレベルのキャッシングと、プロセッサコア１２１４と、レジスタ１２１６とを含むことが可能である。例示的なプロセッサコア１２１４には、算術論理演算装置（ＡＬＵ）、浮動小数点数演算装置（ＦＰＵ）、デジタル信号処理コア（ＤＳＰコア）、または以上の任意の組み合わせが含まれ得る。また、例示的なメモリコントローラ１２１８が、プロセッサ１２０４と一緒に使用されることも可能であり、あるいはいくつかの実施形態において、メモリコントローラ１２１８は、プロセッサ１２０４に一体化した部分であってもよい。
【００５８】
所望される構成に応じて、システムメモリ１２０６は、揮発性メモリ（ＲＡＭなどの）、不揮発性メモリ（ＲＯＭ、フラッシュメモリなどの）、または揮発性メモリと不揮発性メモリの任意の組み合わせを含むが、以上には限定されない任意のタイプのものであることが可能である。システムメモリ１２０６は、オペレーティングシステム１２２０と、１つまたは複数のアプリケーション１２２２と、プログラムデータ１２２４とを含むことが可能である。
【００５９】
コンピューティングデバイス１２００は、基本構成１２０２と要求される任意のデバイスおよびインターフェースの間の通信を円滑にするさらなる特徴もしくは機能、およびさらなるインターフェースを有することが可能である。たとえば、バス／インターフェースコントローラ１２３０が、ストレージインターフェースバス１２３４を介して基本構成１２０２と１つまたは複数のデータ記憶装置１２３２の間の通信を円滑にするのに使用され得る。データ記憶装置１２３２は、取外し式記憶装置１２３６、非取外し式記憶装置１２３８、または取外し式記憶装置１２３６と非取外し式記憶装置１２３８の組み合わせであり得る。取外し式記憶装置および非取外し式記憶装置の例には、いくつかを挙げると、フレキシブルディスクドライブやハードディスクドライブ（ＨＤＤ）などの磁気ディスクデバイス、コンパクトディスク（ＣＤ）ドライブまたはデジタルバーサタイルディスク（ＤＶＤ）ドライブなどの光ディスクドライブ、ソリッドステートドライブ（ＳＳＤ）、およびテープドライブが含まれる。例示的なコンピュータ記憶媒体には、コンピュータ可読命令、データ構造、プログラムモジュール、または他のデータなどの情報を格納するために任意の方法または技術で実装された揮発性媒体および不揮発性媒体、取外し式媒体および非取外し式媒体が含まれ得る。
【００６０】
システムメモリ１２０６、取外し式記憶装置１２３６、および非取外し式記憶装置１２３８は、コンピュータ記憶媒体の例である。コンピュータ記憶媒体には、ＲＡＭ、ＲＯＭ、ＥＥＰＲＯＭ、フラッシュメモリもしくは他のメモリ技術、ＣＤ−ＲＯＭ、デジタルバーサタイルディスク（ＤＶＤ）もしくは他の光ストレージ、磁気カセット、磁気テープ、磁気ディスクストレージもしくは他の磁気記憶装置、または所望される情報を格納するのに使用され得ると共に、コンピューティングデバイス１２００によってアクセスされ得る他の任意の媒体が含まれるが、以上には限定されない。任意のそのようなコンピュータ記憶媒体が、コンピューティングデバイス１２００の一部であり得る。
【００６１】
また、コンピューティングデバイス１２００は、バス／インターフェースコントローラ１２３０を介したさまざまなインターフェースデバイス（出力装置１２４２、周辺インターフェース１２４４、および通信装置１２４６）から基本構成１２０３への通信を円滑にするためのインターフェースバス１２４０を含むことも可能である。例示的な出力装置１２４２には、１つまたは複数のＡ／Ｖポート１２５２を介してディスプレイまたはスピーカなどのさまざまな外部デバイスに通信するように構成され得るグラフィック処理ユニット１２４８およびオーディオ処理ユニット１２５０が含まれる。例示的な周辺インターフェース１２４４には、１つまたは複数のＩ／Ｏポート１２５８を介して入力装置（たとえば、キーボード、マウス、ペン、音声入力装置、タッチ入力装置など）または他の周辺デバイス（たとえば、プリンタ、スキャナなど）と通信するように構成され得るシリアルインターフェースコントローラ１２５４またはパラレルインターフェースコントローラ１２５６が含まれる。例示的な通信装置１２４６には、１つまたは複数の通信ポート１２６４経由でネットワーク通信リンクを介して他の１つまたは複数のコンピューティングデバイス１２６２との通信を円滑にするように構成され得るネットワークコントローラ１２６０が含まれる。
【００６２】
ネットワーク通信リンクは、通信媒体の一例であり得る。通信媒体は、通常、搬送波または他のトランスポート機構などの変調されたデータ信号内のコンピュータ可読命令、データ構造、プログラムモジュール、または他のデータによって実現されることが可能であり、任意の情報配信媒体を含むことが可能である。「変調された信号」とは、信号内に情報を符号化するようになど、信号の特性のうちの１つまたは複数が設定された、または変更されている信号であり得る。例として、限定としてではなく、通信媒体には、有線ネットワークもしくは直接配線ネットワーク、ならびに音響媒体、無線周波数（ＲＦ）媒体、マイクロ波媒体、赤外線（ＩＲ）媒体、および他のワイヤレス媒体などのワイヤレス媒体が含まれ得る。本明細書で使用されるコンピュータ可読媒体という用語には、記憶媒体と通信媒体が共に含まれ得る。
【００６３】
コンピューティングデバイス１２００は、セルラ電話機、携帯情報端末（ＰＤＡ）、パーソナルメディアプレーヤデバイス、ワイヤレスウェブウォッチデバイス、パーソナルヘッドセットデバイス、特定用途向けデバイス、または以上の機能のいずれかを含むハイブリッドデバイスなどのスモールフォームファクタポータブル（またはモバイル）電子デバイスの一部分として実装されることが可能である。また、コンピューティングデバイス１２００は、ラップトップコンピュータ構成と非ラップトップコンピュータ構成の両方を含むパーソナルコンピュータとして実装されることも可能である。
【００６４】
本開示は、さまざまな態様の例示として意図される、本願で説明される特定の実施形態に関連して限定されるものではない。当業者には明白なとおり、本開示の趣旨および範囲を逸脱することなく、多くの変形および変更が行われ得る。本開示で列挙される方法および装置に加えて、本開示の範囲に含まれる機能的に均等な方法および装置が、以上の説明から当業者には明白となろう。そのような変形および変更は、添付の特許請求の範囲に含まれることが意図される。本開示は、添付の特許請求の範囲の規定、ならびにそのような特許請求の範囲に認められる均等の完全な範囲によってのみ限定されるものとする。本開示は、もちろん、さまざまであり得る特定の方法、試薬、合成物、構成物、または生物系に限定されないことを理解されたい。また、本明細書で使用される用語は、特定の実施形態を説明することだけを目的としており、限定することは意図していないことも理解されたい。
【００６５】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００６６】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００６７】
さらに、本開示の特徴または態様がマーカッシュグループの点で説明される場合、本開示は、その結果、マーカッシュグループの任意の個別の要素または下位グループの要素の点でも説明されることが当業者には認識されよう。
【００６８】
当業者には理解されるとおり、書面の説明を与えることに関連してなどのすべての点で、本明細書で開示されるすべての範囲は、可能なあらゆるすべての部分的範囲、および部分的範囲の組み合わせも包含する。リストアップされるいずれの範囲も、少なくとも同等の１／２、１／３、１／４、１／５、１／１０などに細分された同一の範囲を十分に説明し、可能にするものと容易に認識され得る。限定的でない例として、本明細書で説明される各範囲は、下１／３、中１／３、および上１／３などに容易に細分され得る。やはり当業者には理解されるとおり、「〜まで」、「少なくとも」などのすべての言い回しは、記載されている数を含むと共に、前述したとおり、その後に部分的範囲に細分され得る範囲も指す。最後に、当業者には理解されるとおり、範囲は、個別の各要素を含む。このため、たとえば、１〜３つのセルを有するグループとは、１つ、２つ、または３つのセルを有するグループを指す。同様に、１〜５つのセルを有するグループとは、１つ、２つ、３つ、４つ、または５つのセルを有するグループを指すといった具合である。
【００６９】
以上のことから、本開示のさまざまな態様が、例示の目的で本明細書で説明されてきたこと、および本開示の趣旨および範囲を逸脱することなく、さまざまな変形が行われ得ることが理解されよう。したがって、本明細書で開示されるさまざまな実施形態は、限定することを意図しておらず、真の範囲および趣旨は、添付の特許請求の範囲によって示される。
【図１】
0005969036.tif 000002
【図２】
0005969036.tif 000003
【図３】
0005969036.tif 000004
【図４】
0005969036.tif 000005
【図５】
0005969036.tif 000006
【図６】
0005969036.tif 000007
【図７】
0005969036.tif 000008
【図８】
0005969036.tif 000009
【図９】
0005969036.tif 000010
【図１０】
0005969036.tif 000011
【図１１】
0005969036.tif 000012
【図１２】
0005969036.tif 000013